(57)【特許請求の範囲】
【請求項１】
測定対象の回転体に光照射する発光素子と、その照射光の該回転体からの反射光を受光する受光素子とを備え、該受光素子の出力する該反射光の検出信号に基づいて該回転体に非接触でその回転数を測定する測定器本体は、該回転体に接触させるための接触アダプタが着脱可能であり、
該接触アダプタは、該回転体に接触させてその回転と共に回転自在な回転検出軸と、該回転検出軸に連結され、該発光素子から光照射される回転部材とを備え、
該回転部材は、少なくとも一対の光反射壁を有しており、
該発光素子の照射光が一方の該光反射壁で反射してさらに他方の該光反射壁で反射した反射光を該受光素子が受光する位置関係で該少なくとも一対の光反射壁が該回転部材に形成されており、
前記少なくとも一対の光反射壁が、該回転部材の回転軸線を挟んで、該回転軸線に対して対称の位置に、該測定器本体側に向けて先広がりとなるように対向させて該回転部材に形成されていて、
該回転部材が、該測定器本体側に向けて先広がりに開口させた、該回転部材の回転軸線と同軸の円環状壁を有し、該円環状壁の対向し合う壁面に該少なくとも一対の光反射壁が形成されていて、
該円環状壁が、円周方向に等分割された４の倍数のｎ個の領域を有し、該光反射壁と光を反射しない非反射壁とが該ｎ個の領域に交互に形成されていて、
該非反射壁が、該円環状壁に黒色塗料を塗布されて形成されていることを特徴とする回転計。
【請求項２】
前記一対の光反射壁が、互いの相対角度を９０度で対向させて前記回転部材に形成されていることを特徴とする請求項１に記載の回転計。
【請求項３】
前記測定器本体が、前記接触アダプタの着脱を検知するセンサを備え、該センサによる該接触アダプタの検知の有無、及び前記反射光の検出信号に基づいて前記回転体の回転数を測定することを特徴とする請求項１又は２に記載の回転計。
【発明の詳細な説明】
【技術分野】
【０００１】
本発明は、接触アダプタの着脱により、接触、非接触のいずれでも回転体の回転数を測定可能な回転計に関するものである。
【背景技術】
【０００２】
測定器の一種である回転計は、回転ファン、ロール紙巻取り軸や各種装置の回転軸などのような回転体の回転数を測定するために用いられる。例えば、回転体の場所まで回転計を携帯し、その場で回転数の測定が行われる。このような回転計が例えば特許文献１に記載されている。
【０００３】
特許文献１に記載された回転計（回転数測定器）は、発光素子及び受光素子を本体部に備え、光を用いて非接触で回転体の回転数を測定可能なものである。さらにこの回転計は、測定器本体（本体部）に接触アダプタが着脱可能になっており、接触アダプタを装着することで回転体への接触で回転体の回転数が測定可能になっている。
【０００４】
同文献中の図３や図５の回転計では、接触アダプタの回転検出軸に光反射用回転板が連結されており、この回転板は、反射部と非反射部とに２分割されている。この回転計では、測定器本体の発光素子が回転板に光照射して、回転板で反射した反射光を受光素子が受光して回転数を測定する。
【０００５】
接触アダプタを用いずに非接触で離れた位置の回転体の回転数測定を行うためには、発光素子と受光素子とを、各々の光軸がほぼ平行になるように測定器本体に配置する必要がある。また、発光素子と受光素子との間隔は、素子形状等による物理的な制約や誤検出の防止のために、若干離して配置する必要がある。一方、接触アダプタを測定器本体に装着したときに、接触アダプタの回転板が測定器本体の直ぐ近くに配置されていると、発光素子と反射板とが近いため反射光は発光素子方向に反射して、受光素子に殆ど反射光が入らず（当たらず）、反射光の検出が難しくなる。受光素子の検出感度を高感度にすることも考えられるが、このようにすると反射光以外の光を反射光と誤検出してしまう要因となる。従って、接触アダプタを装着して測定可能とするために、回転板と測定器本体との距離を、反射光が受光素子に充分入るような距離まで離す必要がある。このため、接触アダプタが長くて大型のものになってしまうという課題がある。
【０００６】
また、同文献中の図１の回転計では、接触アダプタが、透光部と非透光部とに２分割された光透過用回転板を有し、この回転板を挟んで測定器本体の受光素子に対向する位置に発光素子が配されている。この回転計では、接触アダプタを装着しないときには測定器本体の発光素子を発光させ、接触アダプタを装着したときには接触アダプタ内の発光素子を発光させる。この構成では、回転板を測定器本体に近づけて配置することができるが、接触アダプタ内にも発光素子を配する必要があり、さらに本体部から接触アダプタにコネクタを介して電力を供給する必要がある。そのため、接触アダプタの構造が複雑になってしまい、接触アダプタが大型のものになってしまう。
【先行技術文献】
【特許文献】
【０００７】
【特許文献１】実公平６―１１４５１号公報
【発明の概要】
【発明が解決しようとする課題】
【０００８】
本発明は前記の課題を解決するためになされたもので、光を用いて非接触で回転体の回転数の測定が可能な測定器本体に、回転体への接触で回転数の測定を行うための接触アダプタが着脱可能である回転計において、誤検出の発生を防止しつつ接触アダプタを小型のものにすることができる回転計を提供することを目的とする。
【課題を解決するための手段】
【０００９】
前記の目的を達成するためになされた、特許請求の範囲の請求項１に記載された回転計は、測定対象の回転体に光照射する発光素子と、その照射光の該回転体からの反射光を受光する受光素子とを備え、該受光素子の出力する該反射光の検出信号に基づいて該回転体に非接触でその回転数を測定する測定器本体は、該回転体に接触させるための接触アダプタが着脱可能であり、該接触アダプタは、該回転体に接触させてその回転と共に回転自在な回転検出軸と、該回転検出軸に連結され、該発光素子から光照射される回転部材とを備え、該回転部材は、少なくとも一対の光反射壁を有しており、該発光素子の照射光が一方の該光反射壁で反射してさらに他方の該光反射壁で反射した反射光を該受光素子が受光する位置関係で該少なくとも一対の光反射壁が該回転部材に形成されており、前記少なくとも一対の光反射壁が、該回転部材の回転軸線を挟んで、該回転軸線に対して対称の位置に、該測定器本体側に向けて先広がりとなるように対向させて該回転部材に形成されていて、該回転部材が、該測定器本体側に向けて先広がりに開口させた、該回転部材の回転軸線と同軸の円環状壁を有し、該円環状壁の対向し合う壁面に該少なくとも一対の光反射壁が形成されていて、該円環状壁が、円周方向に等分割された４の倍数のｎ個の領域を有し、該光反射壁と光を反射しない非反射壁とが該ｎ個の領域に交互に形成されていて、該非反射壁が、該円環状壁に黒色塗料を塗布されて形成されていることを特徴とする。
【００１３】
請求項２に記載された回転計は、請求項１に記載されたもので、前記一対の光反射壁が、互いの相対角度を９０度で対向させて前記回転部材に形成されていることを特徴とする。
【００１４】
請求項３に記載された回転計は、請求項１又は２に記載されたもので、前記測定器本体が、前記接触アダプタの着脱を検知するセンサを備え、該センサによる該接触アダプタの検知の有無、及び前記反射光の検出信号に基づいて前記回転体の回転数を測定することを特徴とする。
【発明の効果】
【００１５】
本発明による回転計によれば、発光素子及び受光素子を有して光を用いて非接触で回転体の回転数を測定する測定器本体には、回転体に接触させて測定を行うための接触アダプタが着脱可能であり、接触アダプタは、回転検出軸に連結された回転部材に少なくとも一対の光反射壁を形成し、発光素子の照射光が一方の光反射壁で反射してさらに他方の光反射壁で反射した反射光を受光素子が受光する位置関係で一対の光反射壁が回転部材に形成されていることにより、回転部材からの反射光と受光素子との光軸とを合わせることができるため、反射光の誤検出を防止しつつ、測定器本体に近づけて回転部材を配置することができる。従って、接触アダプタの形状を小型にすることができる。
【００１６】
また、少なくとも一対の光反射壁が、回転部材の回転軸線を挟んで回転軸線に対して対称の位置に、測定器本体側に向けて先広がりとなるように対向させて回転部材に形成されている場合、簡便な構成でありながら、回転部材の重心が回転軸線と一致するため回転部材の回転バランスが崩れず好ましい。
【００１７】
また、回転部材が、測定器本体側に向けて先広がりに開口させた円環状壁を有し、円環状壁の対向し合う壁面に少なくとも一対の光反射壁が形成されている場合、光反射壁が回転軸線と同軸の曲面となるため、一対の光反射壁を平板状に形成した場合よりも、反射光と受光素子との光軸が一致する回転部材の回転範囲（回転角度）を広くすることができる。
【００１８】
また、円環状壁が、円周方向に等分割された４の倍数のｎ個の領域を有し、光反射壁と光を反射しない非反射壁とがｎ個の領域に交互に形成されている場合、対向する光反射壁によって反射光と受光素子との光軸が一致するので受光素子で強力な反射光が受光され、対向する非反射壁によって２段階で照射光の強度が充分に弱められて誤検出要因となる光が受光素子で受光されないので、回転部材を測定器本体に近づけて配置しても誤検出の発生を確実に防止することができる。
【００１９】
また、一対の光反射壁が、互いの相対角度を９０度で対向させて回転部材に形成されている場合、照射光と反射光とが平行になるので、発光素子、受光素子、及び接触アダプタの配置を簡便に規定することできる。
【００２０】
また、測定器本体が、接触アダプタの着脱を検知するセンサを備えることで、接触アダプタの有無によって回転体が１回転する間に受光素子が受光する反射光の回数が異なる場合、測定器本体が自動的にこの回数を切り替えて回転数を算出するため、回転数を簡便に測定することができる。
【図面の簡単な説明】
【００２１】
【図１】本発明を適用する回転計の使用状態を示すブロック図である。
【図２】図１の回転計に用いる接触アダプタの斜視図である。
【図３】図１の回転計に用いる接触アダプタの正面図（ａ）、及び本発明を適用する他の回転計に用いる接触アダプタの正面図（ｂ）である。
【図４】本発明を適用する他の回転計に用いる接触アダプタの要部を示す断面図である。
【図５】本発明を適用する他の回転計に用いる接触アダプタの斜視図（ａ）〜（ｃ）である。
【発明を実施するための形態】
【００２２】
以下、本発明の実施形態を詳細に説明するが、本発明の範囲はこれらの形態に限定されるものではない。
【００２３】
本発明の回転計の好ましい形態について、図１を参照しつつ説明する。
【００２４】
回転計１の測定器本体２は、接触アダプタ３が着脱可能であり、同図に示すように接触アダプタ３を装着したときに、測定対象の回転体５０への接触で回転体５０の回転数を測定可能なものである。また、測定器本体２は、接触アダプタ３を離脱したときに、光を用いて非接触で回転体５０の回転数を測定可能なものである。なお、非接触で測定を行う場合には、回転体５０に光反射テープ５１を貼り付けて測定を行う。
【００２５】
測定器本体２は、発光素子１１、点灯回路１２、受光素子１３、受光回路１４、測定部１５、表示部１６、及びセンサ１７を備えている。発光素子１１は、一例として発光ダイオードであり、接触アダプタ３の非装着時に測定対象の回転体５０に光照射し、接触アダプタ３の装着時に後述する接触アダプタ３の回転部材６に光照射するものである。発光素子１１は、点灯回路１２を介して測定部１５に点灯制御されて、点灯、又は必要に応じて点滅が可能になっている。点灯回路１２は、発光素子１１を所定の輝度で発光させる。
【００２６】
受光素子１３は、一例としてフォトトランジスタやフォトダイオードのような光電変換素子であり、受光した光の強度に応じた電気的な検出信号を出力するものである。受光素子１３は、受光回路１４を介して測定部１５に接続されている。受光素子１３は、接触アダプタ３の非装着時に発光素子１１の照射光が回転体５０で反射して、その反射光を受光可能な位置に配されると共に、接触アダプタ３の装着時に後述する回転部材６からの反射光を受光可能な位置に配されている。具体的には、発光素子１１及び受光素子１３は、同図に示すように、所定間隔で発光素子１１の光軸（照射方向）と受光素子１３の光軸（受光方向）とがほぼ平行になるように測定器本体に固定されている。
【００２７】
受光回路１４は、受光素子１３の駆動回路、及び増幅器や比較器で構成されて、一例として、受光素子１３が反射光として有効な強度の光を受光しているときにハイレベル信号を出力し、反射光無しのときにローレベル信号を出力する。
【００２８】
表示部１６は、一例として液晶パネルであり、測定部１５に接続されていて測定した回転数をデジタル表示する。
【００２９】
センサ１７は、接触アダプタ３の着脱（有無）を検知するものである。センサ１７は、例えばリミットスイッチなどの押しボタンスイッチであり、接触アダプタ３の装着位置に配置されている。この押しボタン式のセンサ１７は、接触アダプタ３が装着されると押しボタンが押下されて接信号が測定部１５に出力され、接触アダプタ３が離脱されると、押しボタンが戻って断信号が測定部１５に出力される。なお、センサ１７としては、接触アダプタ３に磁石を配置しておき、この磁気の検知により接触アダプタ３の着脱を検知する磁気センサを用いることもできる。
【００３０】
測定部１５は、中央処理装置（ＣＰＵ）やその動作用プログラムを記憶する半導体メモリ、及び各部とのインタフェース回路（何れも非図示）などを備えており、測定器本体２の動作を統括的に制御して、回転数の測定を行う。
【００３１】
接触アダプタ３は、図１及び図２に示すように、回転検出軸５及び回転部材６を備えている。回転検出軸５は、測定対象の回転体５０の中心部に接触させたときに、その回転と共に回転自在となるように非図示の軸受で支持されている。また、回転検出軸５は、その先端部（図の左側）に、回転体５０の中心部に接触させ易くするために、一例として先端が円錐形状で表面がゴムで覆われた接触子８を有している。接触子８は、接触アダプタ３の筐体ケース（非図示）から外界側に突出している。
【００３２】
回転部材６は、回転検出軸５の後端部（図の右側）に連結されていて、回転検出軸５と共に回転する。この回転部材６は、測定器本体２側に向けて先広がりに開口させた、回転部材６の回転軸線Ｐと同軸の円環状壁７を有している。回転部材６の回転軸線Ｐは、回転検出軸５の回転軸と一致している。
【００３３】
円環状壁７は、図１に示すように、対向し合う壁面の相対角度が９０度であり、回転軸線Ｐに対する壁面の角度θ１が４５度で、回転部材６に形成されている。この円環状壁７は、図３（ａ）に正面図で示すように、円周方向に等分割された４の倍数のｎ個の領域に区分けされている。この場合のｎは４である。円環状壁７は、このｎ個の領域に、光反射壁と光を反射しない非反射壁とが交互に形成されている。従って、同図に示すように、円環状壁７には、光反射壁２０ａ、非反射壁２１ａ、光反射壁２０ｂ、非反射壁２１ｂが時計回りでこの順に形成されている。一対の光反射壁２０ａ、２０ｂは、回転軸線Ｐを挟んで測定器本体２側に向かって、相対角度が９０度で先広がりに対向している。
【００３４】
円環状壁７は、発光素子１１と受光素子１３との中間に回転軸線Ｐが位置するように配置されている。また、円環状壁７は、発光素子１１及び受光素子１３の光軸と回転軸線Ｐとが平行になるように配置されている。また、円環状壁７は、発光素子１１の光軸上に光反射壁２０ａが位置し、受光素子１３の光軸上に光反射壁２０ｂが位置するような径で形成されている。
【００３５】
回転部材６は、軽金属又は樹脂によって形成されている。光反射壁２０ａ、２０ｂは、一例として軽金属の地金又は樹脂への鍍金等で金属光沢を有して光を反射可能に形成されている。非反射壁２１ａ、２１ｂは、一例として光吸収性の高い黒色塗料が塗布されて光を反射しないように形成されている。
【００３６】
次に、回転計１の動作について説明する。
【００３７】
最初に、接触アダプタ３を装着しない状態で、非接触で回転体５０の回転数を測定する場合について説明する。この場合、図１に示すように、回転体５０の一部に光反射テープ５１を予め貼り付けておく。
【００３８】
測定器本体２に接触アダプタ３が装着されていないため、センサ１７は接触アダプタ３を検知しない。このため、測定部１５は、接触アダプタ３が装着されていないと判別する。
【００３９】
測定部１５が、点灯回路１２を制御して発光素子１１に光照射させる。この照射光が光反射テープ５１に当たると反射して、この反射光を受光素子１３が受光する。したがって、受光素子１３は、回転体が１回転するたびに一度、反射光を受光する。これにより、受光回路１４は、受光素子１３の出力する反射光の検出信号に基づいて、回転体が１回転するたびに１度検出パルスを出力する。
【００４０】
測定部１５は、接触アダプタ３が装着されていないことを判別しているので、検出パルスが回転体５０の１回転毎に１度出力されるものとして回転数を算出し、算出結果を表示部１６に表示させる。なお、回転数とは、１秒間又は１分間などの単位時間当たりの回転数や、測定期間内の総回転数である。このようにして、回転計１は、光を用いて回転体５０の回転数を非接触で測定することができる。
【００４１】
次に、接触アダプタ３を装着して、接触アダプタ３を回転体５０に接触させて回転数を測定する場合について説明する。
【００４２】
測定器本体２に接触アダプタ３が装着すると、センサ１７は接触アダプタ３を検知する。このため、測定部１５は、接触アダプタ３が装着されていることを判別する。
【００４３】
測定部１５が、点灯回路１２を制御して発光素子１１に光照射させる。接触アダプタ３の接触子８を回転体５０の中央部に接触させると、回転検出軸５及び回転部材６が回転体５０と共に回転を開始する。この回転により、発光素子１１の光軸上に光反射壁２０ａが位置すると、図１、図２に二点鎖線で示すように、照射光が一方の光反射壁２０ａで反射して、さらに他方の光反射壁２０ｂで反射した反射光を受光素子１３が受光する。
【００４４】
このように、発光素子１１の照射した光が、光反射壁２０ａ，２０ｂによる反射で受光素子１３の光軸に一致するように導かれるため、反射部材６を測定器本体１のすぐ近くに配置することができる。したがって、回転部材接触アダプタ３の形状を、短く小型のものにすることができる。このため、接触アダプタ３の機械的強度を高くすることができる。
【００４５】
特に、光反射壁２０ａ，２０ｂは同軸で対向する曲面であるので、照射光が光反射壁２０ａに当たる回転部材６の回転範囲（回転角度）内では、回転部材６の回転位置によらず光反射壁２０ａで反射した照射光が全て回転軸線Ｐを横切って光反射壁２０ｂに当たり、受光素子１３の光軸に一致して反射する。このため、光反射壁２０ａ，２０ｂを平板で形成するよりも、受光素子１３が反射光を受光可能な回転部材の回転範囲を広くすることができる。
【００４６】
回転体５０がさらに回転して発光素子１１の光軸上に非反射壁２１ａが位置すると、照射光は非反射壁２１ａで吸収されて反射しないため、受光素子１３は反射光を受光しない。非反射壁２１ａで僅かに光が反射したとしても、その光は対向する非反射壁２１ｂでさらに吸収されるため反射せず、受光素子１３は受光しない。したがって、回転部材６を測定器本体２の近くに配置しても、受光素子１３が非反射壁２１ａ，２１ｂによる反射光を受光せず、誤検出を防止することができる。
【００４７】
回転体５０がさらに回転して発光素子１１の光軸上に光反射壁２０ｂが位置すると、照射光が光反射壁２０ｂで反射して、さらに光反射壁２０ａで反射した反射光を受光素子１３が受光する。さらに回転体５０が回転すると、発光素子１１の光軸上に非反射壁２１ｂが位置し受光素子１３は反射光を受光しない。
【００４８】
このように、受光素子１３は、回転体５０が１／２回転（１／（ｎ／２）回転）するたびに一度反射光を受光する。したがって、測定部１５には、受光回路１４から１／２回転ごとに一度検出パルスが出力される。測定部１５は、接触アダプタ３が装着されていることを判別しているので、回転体５０の１／２回転毎に一度検出パルスが出力されるものとして回転数を算出し、表示部１６に表示する。このようにして、回転計１は、接触アダプタ３を装着して回転体５０の回転数を接触により測定することができる。
【００４９】
なお、円環状壁７を円周方向に４等分（ｎ＝４）にした例について説明したが、ｎは４の倍数であればよい。一例として、図３（ｂ）に、８等分（ｎ＝８）にした円環状壁７ｂを示す。円環状壁７ｂには、光反射壁２４ａ、非反射壁２５ａ、光反射壁２６ａ、非反射壁２７ａ、光反射壁２４ｂ、非反射壁２５ｂ、光反射壁２６ｂ、非反射壁２７ｂが時計回りでこの順に形成されている。この場合、光反射壁２４ａ，２４ｂが対になって回転軸線Ｐ（図１参照）を挟んで対向し、光反射壁２６ａ，２６ｂが対になって回転軸線Ｐを挟んで対向している。つまり円環状壁７ｂには、二対の光反射壁が形成されている。
【００５０】
この円環状壁７ｂでは、照射光が光反射壁２４ａ（２４ｂ）で反射し、さらに光反射壁２４ｂ（２４ａ）で反射した反射光が受光素子１３で受光される。同様に、照射光が光反射壁２６ａ（２６ｂ）で反射し、さらに光反射壁２６ｂ（２６ａ）で反射した反射光が受光素子１３で受光される。したがって、円環状壁７ｂが１／４回転（１／（ｎ／２）回転）するたびに、受光素子１３が反射光を受光する。この場合、測定部１５（図１参照）は、センサ１７により接触アダプタ３が装着されていることを検知したときは、検出パルスが１／４回転ごとに出力されるものとして回転数を算出する。このように分割する領域の数を多くすると、回転体５０が１回転しなくても回転数を算出することができるので、例えばゆっくり回転する回転体５０の回転数を早く測定することができる。
【００５１】
また、図１に示すように、円環状壁７の対向し合う光反射壁２０a、２０ｂの壁面の相対角度を９０度で形成すると、照射光と反射光とが平行になるので、円環状壁７、発光素子１１、及び受光素子１３の位置を設定しやすく好ましいが、受光素子１３が反射光を受光可能であれば、この壁面の相対角度は９０度よりも広角にしたり、狭角にしたりすることができる。図４では、θ２＞４５度として相対角度を９０度よりも広角にした例を示す。同図に示すように、受光素子１３の位置を図１よりも外側の位置に配置することで、受光素子１３は反射光を受光することができる。このように、受光素子１３が反射光を受光可能であれば、円環状壁７の壁面の相対角度、発光素子１１や受光素子１３の位置関係、さらに発光素子１１や受光素子１３の光軸の方向を、適宜変更してもよい。
【００５２】
また、接触アダプタ３の変形例を図５（ａ）〜（ｃ）に示す。なお、既に説明した構成と同様の構成については同じ符号を付して説明を省略する。
【００５３】
図５（ａ）の接触アダプタ４０ａの回転部材４１ａは、長方形状の一枚の軽金属板の両端側を４５度で折り曲げて形成されている。この回転部材４１ａは、平板形状の一対の光反射壁２９ａ，２９ｂが回転軸線Ｐを挟んだ対称の位置に先広がりとなるように対向して配置されている。この回転部材４１ａでは、受光素子１３が反射光を受光できる範囲（回転角）が図２の回転部材６に比べて狭くなるが、回転部材４１ａが０．５回転するたびに１回、受光素子１３が反射光を受光して、測定器本体２（図１参照）が回転数を測定することができる。
【００５４】
図５（ｂ）の接触アダプタ４０ｂは、回転検出軸５の後端側に、回転検出軸５の回転軸線Ｐと同軸に、円板状の回転部材４１ｂが連結されており、この回転部材４１ｂに一対の光反射壁３０ａ，３０ｂが形成されているものである。回転部材４１ｂには、発光素子１１等の配置された測定器本体２側の面に、光吸収性の高い黒色塗料が塗布されている。一対の光反射壁３０ａ，３０ｂは、回転軸線Ｐを挟んで、回転軸線Ｐに対して非対称の位置に、互いの相対角度が９０度で形成されている。具体的には光反射壁３０ａは回転部材４１ｂの外周近くに形成され、光反射壁３０ｂは回転部材４１ｂの中央近くに形成されている。また、この接触アダプタ４０ｂは、測定器本体２に装着されたときに、同図に示すように、発光素子１１の光軸が光反射壁３０ａに位置し、受光素子１３の光軸が光反射壁３０ｂに位置するような位置関係になっている。
【００５５】
この接触アダプタ４０ｂでは、回転部材４１ｂが１回転するたびに、同図の位置関係になったときに１回、受光素子１３が反射光を受光する。従って、回転体５０（図１参照）が１回転する間に受光素子１３が反射光を受光する回数は、接触アダプタ４０ｂの装着の有無で変わらないので、測定器本体２にセンサ１７を設ける必要がない。
【００５６】
図５（ｃ）の接触アダプタ４０ｃは、回転部材４１ｂと同様の回転部材４１ｃに、一対の光反射壁３１ａ，３１ｂが回転軸線Ｐを挟まずに形成されている例である。この接触アダプタ４０ｃも、回転部材４１ｃが１回転するたびに１回、受光素子１３が反射光を受光する。従ってセンサ１７が不要になる。
【００５７】
図５（ｂ）、（ｃ）の回転部材４１ｂ、４１ｃは重心が回転軸線Ｐとずれるので、回転バランスが崩れないように回転部材４１ｂ、４１ｃにバランス取り用の錘を適宜配してもよい。また、円板状の回転部材４１ｂ、４１ｃの形状は長方形状等の任意の形状に変更してもよい。
【００５８】
なお、接触アダプタ３（４０ａ）を装着する測定器本体２にセンサ１７を設けずに、接触アダプタ３の有無を測定者が手動で設定可能な設定ボタン等の設定手段を測定器本体２に設けてもよい。この場合、測定器本体２は、この手動による設定に基づいて、回転体５０が１回転で何回反射光を受光するかを判別し、回転体５０の回転数を算出する。
【符号の説明】
【００５９】
１は回転計、２は測定器本体、３は接触アダプタ、５は回転検出軸、６は回転部材、
７・７ｂは円環状壁、８は接触子、１１は発光素子、１２は点灯回路、１３は受光素子、１４は受光回路、１５は測定部、１６は表示部、１７はセンサ、２０ａ・２０ｂは光反射壁、２１ａ・２１ｂは非反射壁、２４ａ・２４ｂ・２６ａ・２６ｂは光反射壁、２５ａ・２５ｂ・２７ａ・２７ｂは非反射壁、２９ａ・２９ｂ・３０ａ・３０ｂ・３１ａ・３１ｂは光反射壁、４０ａ・４０ｂ・４０ｃは接触アダプタ、４１ａ・４１ｂ・４１ｃは回転部材、５０は回転体、５１は光反射テープ、Ｐは回転軸線、θ１・θ２は回転軸線Ｐと光反射壁２０ａ・２０ｂとの相対角度である。
【図１】
0005546001.tif 000002
【図２】
0005546001.tif 000003
【図３】
0005546001.tif 000004
【図４】
0005546001.tif 000005
【図５】
0005546001.tif 000006